(57)【要約】【課題】情報記録媒体に、単一のＩＣチップにアンテナを内蔵したＲＦＩＤタグを設けると、アンテナを媒体内または媒体上に設ける必要がないので情報記録媒体の作製は容易になるが、ＲＦＩＤからの電波が弱くなるため、信号を読み誤る可能性が生じる。また、情報記録媒体に近い位置にＲＦＩＤと通信を行うアンテナが必要となり、アンテナのために情報記録媒体の駆動装置で情報記録媒体と情報読み出し手段の動作や位置が制限される。【解決手段】本発明では、情報記録媒体に単一のＩＣチップにアンテナを内蔵したＲＦＩＤタグを設け、ＲＦＩＤタグ内のアンテナと電波の送受信を行う第２のアンテナを情報記録媒体と密接する情報記録媒体保持部材に設ける。また、第２のアンテナで受けた信号を増幅する。【選択図】図７
2007280519.tif 000002
【特許請求の範囲】
【請求項１】
ＩＣチップに第１のアンテナを内蔵したＲＦＩＤを有するＲＦＩＤタグを内蔵した情報記録媒体を用い、前記ＲＦＩＤ内の情報を書き込み読み出しするＲＦＩＤタグ内蔵情報記録媒体の駆動装置において、
前記情報記録媒体を保持する部材に前記第１のアンテナとの間で電波の送受信を行う第２のアンテナを設けることを特徴とするＲＦＩＤタグ内蔵情報記録媒体の駆動装置。
【請求項２】
前記情報記録媒体は、磁気また光または光磁気を利用して情報を書き込み読み出しを行うものであることを特徴とする請求項１記載のＲＦＩＤタグ内蔵情報記録媒体の駆動装置。
【請求項３】
前記第２のアンテナを設けた前記情報記録媒体の保持部材は、前記情報記録媒体を挟む部材、前記情報記録媒体を受ける部材、前記情報記録媒体を押える部材のうちのいずれかであることを特徴とする請求項１記載のＲＦＩＤタグ内蔵情報記録媒体の駆動装置。
【請求項４】
前記情報記録媒体を前記情報記録媒体の保持部材で保持した際に、前記第１のアンテナと前記第２のアンテナとの距離が５ｍｍ以下であることを特徴とする請求項１記載のＲＦＩＤタグ内蔵情報記録媒体の駆動装置。
【請求項５】
前記第２のアンテナと前記情報記録媒体の保持部材との間に絶縁体材料を介して透磁率が１００００以上の高透磁率材料を設けることを特徴とする請求項１記載のＲＦＩＤタグ内蔵情報記録媒体の駆動装置。
【請求項６】
前記第２のアンテナで電波から電気に変換された信号を増幅する増幅回路を有することを特徴とする請求項１記載のＲＦＩＤタグ内蔵情報記録媒体の駆動装置。
【請求項７】
前記第２のアンテナと繋がった第３のアンテナと、第３のアンテナと通信する第４のアンテナを持つことを特徴とする請求項６記載のＲＦＩＤタグ内蔵情報記録媒体の駆動装置。
【請求項８】
前記第３のアンテナで受けた、第４のアンテナから送られた電波のエネルギーを電力に変換する電源回路を有し、前記増幅回路に電力を供給することを特徴とする請求項７記載のＲＦＩＤタグ内蔵情報記録媒体の駆動装置。
【請求項９】
前記情報記録媒体を回転する回転手段を有し、
前記第２のアンテナは前記回転手段と同軸で円状とすることを特徴とする請求項１記載のＲＦＩＤタグ内蔵情報記録媒体の駆動装置。
【請求項１０】
第３のアンテナは前記第２のアンテナと同じ回転軸を中心とする円状で前記第２のアンテナと一緒に回転することを特徴とする請求項９記載のＲＦＩＤタグ内蔵情報記録媒体の駆動装置。
【請求項１１】
前記第３のアンテナは回転軸の凹部に設けたことを特徴とする請求項１０記載のＲＦＩＤタグ内蔵情報記録媒体の駆動装置。
【請求項１２】
前記第３のアンテナと前記情報記録媒体が回転する軸部材との間に絶縁体材料を介して透磁率が１００００以上の高透磁率材料を設けることを特徴とする請求項１０記載のＲＦＩＤタグ内蔵情報記録媒体の駆動装置。
【請求項１３】
ＩＣチップにアンテナを内蔵したＲＦＩＤが埋設された情報記録媒体を用いるＲＦＩＤタグ内蔵情報記録媒体の駆動方法において、
前記情報記録媒体を保持部材で保持した状態で、保持部材とＲＦＩＤとの間で信号の送受信を行うＲＦＩＤタグ内蔵情報記録媒体の駆動方法。
【請求項１４】
前記情報記録媒体上のＲＦＩＤからの信号を増幅することを特徴とする請求項１３記載のＲＦＩＤタグ内蔵情報記録媒体の駆動方法。
【請求項１５】
信号を増幅するエネルギーを非接触で供給することを特徴とする請求項１４記載のＲＦＩＤタグ内蔵情報記録媒体の駆動方法。
【請求項１６】
信号を増幅するエネルギーを電波で供給することを特徴とする請求項１４記載のＲＦＩＤタグ内蔵情報記録媒体の駆動方法。
【請求項１７】
前記情報記録媒体上のＲＦＩＤ内の情報を書き込み読み出しするのに間の２箇所で電波により非接触で伝達することを特徴とする請求項１３記載のＲＦＩＤタグ内蔵情報記録媒体の駆動方法。
【請求項１８】
非接触で信号伝達する電波の周波数を２箇所で変えることを特徴とする請求項１７記載のＲＦＩＤタグ内蔵情報記録媒体の駆動方法。
【請求項１９】
データ領域より内側に内孔と同心円状の溝がある基板と、ＩＣチップに第２のアンテナより投影面積が小さい第１のアンテナを内蔵した、基板の溝深さより薄いＲＦＩＤとを有し、第１のアンテナが基板の溝側を向くようにＲＦＩＤを基板の溝内に配置し、溝の周りと同じ高さに溝部を紫外線硬化樹脂で覆って硬化した、請求項１記載のＲＦＩＤタグ内蔵情報記録媒体の駆動装置に用いるＲＦＩＤタグ内蔵情報記録媒体。
【請求項２０】
データ領域より内側に内孔と同心円状の溝がある第１の基板と、平坦な第２の基板と、ＩＣチップに第２のアンテナより投影面積が小さい第１のアンテナを内蔵した、基板の溝深さより薄いＲＦＩＤとを有し、第１のアンテナが第１の基板の溝底側を向くようにＲＦＩＤを第１の基板の溝に配置し、第１の基板と第２の基板とを紫外線硬化樹脂を介して密着して硬化した、請求項１記載のＲＦＩＤタグ内蔵情報記録媒体の駆動装置に用いるＲＦＩＤタグ内蔵情報記録媒体。
【請求項２１】
内孔がある基板と、ＩＣチップに第２のアンテナより投影面積が小さい第１のアンテナを内蔵したＲＦＩＤとを有し、基板のデータ領域より内側にＲＦＩＤより厚い一定厚さの紫外線硬化樹脂層を設け、紫外線硬化樹脂層にＲＦＩＤを埋設後に硬化した、請求項１記載のＲＦＩＤタグ内蔵情報記録媒体の駆動装置に用いるＲＦＩＤタグ内蔵情報記録媒体。
【請求項２２】
前記紫外線硬化樹脂層がデータ領域の紫外線硬化樹脂層と材料と厚さが同じである請求項２１記載のＲＦＩＤタグ内蔵情報記録媒体。
【請求項２３】
前記紫外線硬化樹脂層がクランプ領域より外周側である請求項２２記載のＲＦＩＤタグ内蔵情報記録媒体。
【発明の詳細な説明】
【技術分野】
【０００１】
本発明は、ＲＦＩＤ（Radio Frequency Identification）タグを内蔵すると共に、磁気や光で情報の記録再生を行う情報記録媒体に対するＲＦＩＤタグ内蔵情報記録媒体の駆動装置とその駆動方法およびＲＦＩＤタグ内蔵情報記録媒体に関する。
【背景技術】
【０００２】
近年、電磁波を用いて非接触でＩＣチップ内のメモリと情報を通信するＲＦＩＤの開発が注目されている。この中で、光ディスクにＰＦＩＤを内蔵するものが、例えば特許文献１に開示されている。特許文献１では、ＩＣチップ及び結合素子としてのアンテナが光ディスクに内蔵され、アンテナは光ディスク自体の内孔付近の領域に同心円状に配置されている。また、光ディスク自体にはアンテナを設けず、光ディスクの表面にＩＣチップ（内蔵されたもの）からの端子を出してドライブ側の圧力板内に設けたアンテナと電気的に接触させる技術も開示されている。
【０００３】
これに対して、単一のＩＣチップ内にアンテナも設けたＲＦＩＤを用いたものが特許文献２に開示されている。特許文献２では、光ディスクの基板の内周部に凹部を設け、この凹部にＩＣチップを埋め込んでおり、この基板に設けた凹部はＩＣチップを埋め込んだところが幅広であったり反対側が凸であったりしている。また、特許文献２では、ドライブ側のアンテナは光ディスクの情報を光学的に読出すピックアップと反対側の面に設けられ、光ディスクのおよそ半分の回転領域（半周分の領域）を覆うように設けている。
【特許文献１】特表２０００−５０９５４１号公報
【特許文献２】特開２０００−２８５６３６号公報
【発明の開示】
【発明が解決しようとする課題】
【０００４】
ＲＦＩＤが内蔵された光ディスクは注目されているが、光ディスクから十分離れた位置でもＲＦＩＤと情報の通信を行えるようにするためには大きなアンテナが必要となり、光ディスク自体にアンテナを埋め込むためには大きな面積が必要となる。また、光ディスク自体にアンテナを設けない場合には外部のアンテナと光ディスクに内蔵したＩＣチップとを電気的に接合させるために、光ディスクの表面にＩＣチップの端子を出す必要があり、端子が酸化や劣化して長期間使用できないという課題を生じる。
【０００５】
単一のＩＣチップにアンテナも設けたＲＦＩＤタグを用いれば光ディスク自体にアンテナを設ける必要はないが、ＲＦＩＤからの電波が弱くなる傾向があるため、信号を読み誤る可能性が生じる。また、光ディスクに近い位置に、ＲＦＩＤと通信を行うアンテナを設ける必要があるので、光ディスクにアンテナが衝突あるいは接触しないようにするために、光ディスクをドライブに設置する際の光ディスクの動作やドライブ側のピックアップの動作や位置が制限されるという課題があった。
【０００６】
そこで、本発明は、ＲＦＩＤを内蔵した、光ディスク、光磁気ディスク、ホログラムディスク、磁気カード、光磁気カード、磁気テープなどの情報記録媒体に対して、情報記録媒体上に大きなアンテナを必要とすることなく、信号を読み誤る可能性が低くし、また、ＲＦＩＤの端子の劣化もなくて長期間使用でき、かつ、ＲＦＩＤと通信を行うアンテナがドライブ内での光ディスクやドライブ側のピックアップの動作や位置を制限しないような、ＲＦＩＤタグ内蔵情報記録媒体の駆動装置とその駆動方法およびＲＦＩＤタグ内蔵情報記録媒体を提供することを目的とする。
【課題を解決するための手段】
【０００７】
本発明では、アンテナがＩＣチップと一体化した小さなＲＦＩＤタグ（例えば０．５ｍｍ角程度以下）を内蔵した情報記録媒体を用い、このアンテナと電波の送受信を行う第２のアンテナを情報記録媒体と密接する情報記録媒体保持部材に設けるものである。
【０００８】
また、第２のアンテナで受けた信号を増幅するものである。
【０００９】
そして、情報記録媒体が回転する場合は、情報記録媒体と一緒に情報記録媒体保持部材も回転するので、第２のアンテナで受けた後の信号をさらに送信する第３のアンテナを第２のアンテナと同じ回転軸系に設け、第４の固定されたアンテナで第３のアンテナからの信号を受けるようにする。
【発明の効果】
【００１０】
アンテナがＩＣチップと一体化したＲＦＩＤを情報記録媒体に設けているので、情報記録媒体上にアンテナを形成する必要がないため、ＲＦＩＤが付いた情報記録媒体の生産性が向上する。また、情報記録媒体は情報記録媒体保持部材と密接するが、ＲＦＩＤ内の電気端子が情報記録媒体の表面に露出していないので端子の劣化がなく長期使用が可能となる。なお、ＲＦＩＤ内のアンテナが小さいためにＲＦＩＤから発信される電波は弱いが、この電波を受信するアンテナが近傍にあるため読み誤りにくくなり、この信号を増幅することでさらに信頼性が増した安定した信号を得ることができる。
【００１１】
さらに、光ディスクなどのように、媒体を回転させることにより情報を再生・記録する情報記録媒体では、情報記録媒体保持部材が従来からあるので新規にアンテナ部材を増やす必要がなく、アンテナが光ディスクに当たらないように注意する必要もない。そこで、情報記録媒体にＲＦＩＤが付いていてもドライブ内で情報記録媒体やピックアップの動作や位置に制限が加わることはない。
【発明を実施するための最良の形態】
【００１２】
以下に図面を用いて本発明の実施の形態を説明する。
【００１３】
（実施の形態１）
図１は、本発明の実施の形態１のＲＦＩＤタグ内蔵情報記録媒体の駆動装置に用いる、ＲＦＩＤタグ内蔵情報記録媒体の側面図である。情報記録媒体１は帯状の磁気フィルム２を貼り付けたカードであり、磁気フィルム２の近傍にアンテナをＩＣチップに内蔵したＲＦＩＤ３が埋めこまれている。
【００１４】
図２は、情報記録媒体１の情報を読み書きする駆動装置４の外観である。ここで、破線で示した５は磁気フィルム２の情報を読み書きする磁気ヘッドであり、破線で示した６はＲＦＩＤ３の情報を読み書きする際に使用するアンテナである。
【００１５】
図３は、駆動装置４に設けられた情報記録媒体を挟む隙間４ａに情報記録媒体１を挟んで情報を読み書きする際の状態を断面図で示したものである。情報記録媒体１を駆動装置４に設けた隙間４ａに差し込んで横に滑らすことで、情報記録媒体１の磁気フィルム２が駆動装置４の磁気ヘッド５と近接して移動する。この際に、磁気フィルム２に磁気で記録されていた情報を磁気ヘッド５で電気信号として読み出す。また反対に、情報を書き込む時は、電気信号を磁気ヘッド５で磁場変化させ、磁気フィルム５に磁気変化として記録する。一方、情報記録媒体１上に設けたＲＦＩＤ３は、駆動装置４に設けられた隙間４ａに埋め込まれたアンテナ６と互いに非接触であるが極めて近くに位置することになる。そこで、アンテナ６からの電波からエネルギー供給を受け、ＲＦＩＤ３はアンテナ６へ情報を電波で送信し、この電波をアンテナ６で受信する。
【００１６】
この信号の受け渡しの回路についての詳細を図４に示す。
【００１７】
ＩＣチップからなるＲＦＩＤ３は、アンテナ７、電源回路８、無線周波数回路９、変調回路１０、復調回路１１、ＣＰＵ１２とメモリ１３を有する。電源回路８はコンデンサ（図示せず）を内蔵し、このコンデンサはアンテナ７と共に共振回路を形成する。このコンデンサは、アンテナ７が特定の周波数の電波を受信した時に電力が充電される。電源回路８はこの電力を整流してＣＰＵ１２に供給する。
【００１８】
また、アンテナ７が特定周波数の信号電波を受信すると、無線周波数回路９で電気信号になり、復調回路１１でＣＰＵ１２が認識できるコマンド信号になる。反対に、アンテナ７から特定周波数の信号電波を送信する場合は、ＣＰＵ１２が信号を出力し、変調回路１０で信号を変調し、無線周波数回路９で特定周波数の電波となる電気信号になってアンテナ７に供給される。
【００１９】
一方、書き込み読み出し本体１４は、アンテナ６、電源回路１５、無線周波数回路１６、変調回路１７、復調回路１８、ＣＰＵ１９とこれに接続されたメモリ２０および入力装置２１を有する。電源回路１５はコンセントからの交流電流を整流してＣＰＵ１９に供給する。
【００２０】
アンテナ６から特定周波数の信号電波を送信する場合は、ＣＰＵ１９が信号を出し、変調回路１７で信号を変調し、無線周波数回路１６で特定周波数の電波となる電気信号になってアンテナ６に供給される。反対に、アンテナ６から特定周波数の信号電波を受信する場合は、無線周波数回路１６で電気信号になり、復調回路１８でＣＰＵ１９が認識できるコマンド信号になる。
【００２１】
ＲＦＩＤ３と書き込み読み出し本体１４との間のデータの送受信は以下のようになる。
【００２２】
ＲＦＩＤ３からデータを読み出す場合には、書き込み読み出し本体１４のＣＰＵ１９からの読み出しコマンドがアンテナ６からアンテナ７へ電波送信され、ＣＰＵ１２がメモリ１３に記憶されたデータの読み出しを行い、アンテナ７からアンテナ６へ電波送信されＣＰＵ１９にデータが送られる。ＲＦＩＤ３に新しいデータを書き込む場合は、まず、データが予めメモリ２０にあるものはメモリ２０から、データが新規の場合は入力装置２１から、ＣＰＵ１９に送られる。次にＣＰＵ１９からのデータと書き込みコマンドがアンテナ６からアンテナ７へ電波送信され、ＣＰＵ１２がメモリ１３に新規のデータの書き込みを行う。
【００２３】
本発明のＲＦＩＤタグ内蔵情報記録媒体の駆動方法では図３に示すようにＲＦＩＤ３内のアンテナ７（図３では図示せず）が小さくて電波が弱くとも、受信するアンテナ６が近傍にあるため、ＲＦＩＤ３からのデータは十分に読み取りが可能である。なお、アンテナ６はアンテナ７より広い投影面積になっていて、駆動装置４に設けられた情報記録媒体を挟む隙間４ａと情報記憶媒体１との相対位置が少し変わっても、アンテナ６とアンテナ７との電波の送受信に影響が内容になっている。アンテナ６とアンテナ７との距離は、電波の強さからは５ｍｍ以下が好ましく、現実的には１ｍｍ以下でも可能である。
【００２４】
情報記録媒体１上のＲＦＩＤ３はアンテナ６がある駆動装置４の隙間４ａに近い方に設けるのがＲＦＩＤ３とアンテナ６との間での送受信の電波強度の点から有利である。
【００２５】
また、ＲＦＩＤ３内のアンテナ７は、情報記録媒体１のアンテナ６と対向する側の表面に向けて設けることがＲＦＩＤ３とアンテナ６との間での送受信の電波強度の点から有利である。
【００２６】
ＲＦＩＤ３とアンテナ６はそれぞれの周りが樹脂材料などで覆われているので、情報記録媒体１と駆動装置４同士が擦れても、ＲＦＩＤ３もアンテナ６も情報記録媒体１と直接接触して故障することはない。
【００２７】
（実施の形態２）
本発明の実施の形態２のＲＦＩＤタグ内蔵情報記録媒体の駆動装置に用いるＲＦＩＤタグ内蔵情報記録媒体は、図５の２２に示すようにディスク形状（円板形状）をしている。すなわち、回転させて使用する光ディスク（光磁気方式やホログラム方式を含む）や磁気ディスクである。図５では光磁気方式ではない光ディスクの場合を示している。
【００２８】
図５において、情報記録媒体２２にはアンテナがＩＣチップに内蔵されたＲＦＩＤ３が設けられている。
【００２９】
情報記録媒体２２が単板ディスクの場合は、図６（ａ）のように内孔と同心円状の溝を基板に設け、溝深さより薄いＲＦＩＤ３を紫外線硬化樹脂で表面を覆うように埋め込み、表面を平坦にする。情報記録媒体２２が貼り合せディスクの場合は、図６（ｂ）のように情報記録媒体保持部材の受け部２３ａ側の基板（図６（ｂ）では下側の基板）に内孔と同心円状の溝を設け、溝深さより薄いＲＦＩＤを埋め込み、紫外線硬化樹脂を介してもう一枚の基板と貼り合せる。この際、溝は紫外線硬化樹脂で満たす。ここで、基板は一般に、熱可塑性樹脂を射出成形して作製するので、円周方向で異なる形状では金型内での樹脂の流れが円周方向で異なるため歪を生じてしまう。一方、同心円状の溝であれば、金型内での樹脂の流れが円周方向で一様になるため基板の歪が抑制される。また、情報記録媒体２２としては、溝やＲＦＩＤ３がない従来の情報記録媒体と同じ形状である。そのため、ＲＦＩＤ３への情報の書き込み読み出し機能を持たない情報記録媒体駆動装置に、このＲＦＩＤタグ内蔵情報記録媒体を挿入しても駆動装置を物理的に壊す恐れはない。
【００３０】
本発明の実施の形態２のＲＦＩＤタグ内蔵情報記録媒体の駆動方法は、書き込み読み出し本体１４と情報記録媒体２２内のＲＦＩＤ３までの間が実施の形態１と異なる。そこで、図５では実施の形態１と共通する書き込み読み出し本体１４の部分はアンテナ６のみを示し、他の回路等は図示していない。
【００３１】
この情報記録媒体２２は情報記録媒体保持部材２３ａと２３ｂに密接して回転スピンドル２４に固定されており、一緒に回転するようになっている。情報記録媒体保持部材の受け部２３ａにはアンテナ２５が情報記録媒体２２の回転軸を中心とする円周状に埋設されていて、情報記録媒体２２が情報記録媒体保持部材の受け部２３ａにどの向きに置かれても常にＲＦＩＤ３と近傍の位置が保たれるようになっている。アンテナ２５はＲＦＩＤ３に内蔵されているアンテナ７より広い投影面積になっている。この結果、ＲＦＩＤ３内のアンテナ７からの電波が弱くとも十分にアンテナ２５で受信することが可能である。
【００３２】
そして、このアンテナ２５で受けた信号をそのままアンテナ２６で送信しアンテナ６で受ける。このアンテナ２６もアンテナ２５と同様に情報記録媒体２２の回転軸を中心とする円周状に埋設され、固定されたアンテナ６に対してアンテナ２６が回転しても常に両者の位置が近傍の位置に保たれる。この結果、アンテナ２６からの電波もアンテナ６で受信することが可能である。したがって、回転している情報記録媒体２２内のＲＦＩＤ３からも、書き込み読み出し本体１４の固定されたアンテナ６にデータを容易に送ることができる。反対に、書き込み読み出し本体１４から情報記録媒体２２のＲＦＩＤ３へは、アンテナ６からアンテナ２６、アンテナ２５を介してＲＦＩＤ３へとデータが送られる。
【００３３】
図５において、ピックアップ２７は、情報記録媒体２２上に記録された情報を読み出したり書き込んだり書き換えたりするのに用いる。
【００３４】
本発明の実施の形態２のＲＦＩＤタグ内蔵情報記録媒体の駆動方法では、ピックアップ２７と、ＲＦＩＤ３と書き込み読み出し本体１４との間を通信するアンテナ２５、２６、６とが、情報記録媒体２２に対して同じ方向にある。そのため、情報記録媒体２２を収納するための高さを低くすることが可能になる。
【００３５】
情報記録媒体保持部材受け部２３ａや回転スピンドル２４は剛性の観点から金属を用いる場合があるが、この場合は電波が反射されたり吸収されたりしてアンテナ間での送受信が乱されやすい。そこで、アンテナ２５やアンテナ２６が設けられている基体との間に透磁率が１００００以上の高透磁率材料を敷くのが望ましい。高透磁率材料としては例えば鉄とニッケルの合金からなるパーマロイがよいが、これに限られるものではない。また、高透磁率材料単独でなく誘電体材料と層構造でも構わない。また、アンテナと高透磁率材料または基体との間で電気が流れないように絶縁体材料でアンテナを被覆することが望ましい。
【００３６】
情報記録媒体２２上のＲＦＩＤ３は、アンテナ２５がある情報記録媒体保持部材受け部２３ａに近い方に設けるのが、ＲＦＩＤ３とアンテナ２５との間での送受信に電波強度の点から有利である。
【００３７】
また、ＲＦＩＤ３内のアンテナ７は、情報記録媒体２２のアンテナ２５と対向する側の表面に向けて設けることがＲＦＩＤ３とアンテナ２５との間での送受信の電波強度の点からを有利である。
【００３８】
電波強度の観点から、ＲＦＩＤ３内のアンテナ７とアンテナ２５との距離は５ｍｍ以下の場合に、また、アンテナ２６とアンテナ６との距離は３ｍｍ以下の場合に、それぞれ、相互の送受信が可能であった。
【００３９】
（実施の形態３）
本発明の実施の形態３のＲＦＩＤタグ内蔵情報記録媒体の駆動装置に用いるＲＦＩＤタグ内蔵情報記録媒体は、実施の形態２と同様に、ディスク形状をしている。
【００４０】
また、本発明の実施の形態３のＲＦＩＤタグ内蔵情報記録媒体の駆動方法は実施の形態２と殆どが同様であり、増幅回路を設けた点と、磁気シールドを設けた点が実施の形態２と異なる。なお、図７では、実施の形態１と共通する書き込み読み出し本体１４の部分はアンテナ６のみを示し、他の回路等は図示していない。
【００４１】
図７でもアンテナ２５は情報記録媒体保持部材受け部２３ａに設けられ、情報記録媒体２２が情報記録媒体保持部材２３ａと２３ｂに密接して回転スピンドル２４に固定されており、一緒に回転するようになっている。情報記録媒体保持部材の受け部２３ａにはアンテナ２５が情報記録媒体２２の回転軸を中心とする円周状に埋設されていて、情報記録媒体２２が情報記録媒体保持部材の受け部２３ａにどの向きに置かれても常にＲＦＩＤ３と近傍の位置が保たれるようになっている。アンテナ２５は、ＲＦＩＤ３内のアンテナ７より広い投影面積になっている。この結果、ＲＦＩＤ３内のアンテナ７からの電波が弱くともアンテナ２５で受信することが十分に可能である。
【００４２】
そして、このアンテナ２５で受けた信号を増幅回路２８で増幅してアンテナ２６に伝え、アンテナ２６で送信しアンテナ６で受ける。このアンテナ２６もアンテナ２５と同様に情報記録媒体２２の回転軸を中心とする円周状に埋設され、固定されたアンテナ６に対してアンテナ２６が回転しても常に両者の位置が同距離で保たれる。この結果、アンテナ２６からの電波もアンテナ６で安定して受信することが可能である。このように回転している情報記録媒体２２内のＲＦＩＤ３からも書き込み読み出し本体１４の固定されたアンテナ６にデータを送ることができる。反対に、書き込み読み出し本体１４から情報記録媒体２２のＲＦＩＤ３へは、アンテナ６からアンテナ２６、アンテナ２５を介してＲＦＩＤ３へとデータが送られる。
【００４３】
ここで、アンテナ２５からアンテナ２６までの回路を、ＲＦＩＤ３と書き込み読み出し本体１４を合わせて図８に示す。増幅回路２８への電力は電源回路３０から供給される。電源回路３０ではコンデンサ（図示せず）とアンテナ２６とで共振回路を形成し、アンテナ２６が特定周波数の電波を受信した時にコンデンサが電力を充電する。そして、ＲＦＩＤ３から来た信号をアンテナ２５で受けた場合は、増幅回路２８で増幅してアンテナ２６へ伝え、アンテナ２６から書き込み読み出し本体１４のアンテナ６へ送信される。反対に書き込み読み出し本体１４のアンテナ６からの信号は、アンテナ２６で受け、そのままアンテナ２５へ伝え、アンテナ２５からＲＦＩＤ３へ送信される。このように、ＲＦＩＤ３からの電波が弱くとも増幅回路２８で信号を大きくするため、アンテナ２６からアンテナ６に送信する電波の強度を大きく保つことができ、信号の受け渡しの際の誤りを防止できる。また、アンテナ２６とアンテナ６との間の距離の許容範囲を広げることができる。
【００４４】
図８では無線周波数回路３１と３２を設けているが、ＲＦＩＤ３や書き込み読み出し本体１４と同じ周波数を用いる場合は、必ずしも必要ではない。
【００４５】
図８のように無線周波数回路３１と３２を設け、アンテナ６とアンテナ２６との間で通信する電波の周波数と、アンテナ２５とＲＦＩＤ３内のアンテナ７との間で通信する電波の周波数を変えても構わない。この場合には、ＲＦＩＤ３内のアンテナ７とアンテナ２５との間の通信と、アンテナ２６とアンテナ６との間の通信との混線を完全に防止することができる。
【００４６】
なお、本実施の形態では、図７に示すように、アンテナ２５とアンテナ２６との間に磁気シールド２９ａを設けている。これはＲＦＩＤ３内のアンテナ７とアンテナ２５との間の通信と、アンテナ２６とアンテナ６との間の通信との混線を防止する効果がある。
【００４７】
もちろん、互いの通信をエラー訂正機能のあるデジタル信号で行うことで混線があっても通信を行うことは可能である。また、電波の強さとアンテナ間の距離の調整によっても電波の混線は避けられる。
【００４８】
図７では回転スピンドル２４の下方にあるモータ（図示せず）とアンテナ６との間にも磁気シールド２９ｂを設けている。この磁気シールド２９ｂは、先の磁気シールド２９ａとでアンテナ６とアンテナ２６とを挟み込むことで、電波を閉じ込めて通信効率を上げる効果がある。なお、モータによって生じる電波は通信に用いている電波の周波数より低い周波数のため通信の電波と混線する可能性はないので、この磁気シールド２９ｂはなくても構わない。
【００４９】
情報記録媒体保持部材受け部２３ａや回転スピンドル２４は剛性の観点から金属を用いる場合があるが、この場合は電波が反射されたり吸収されたりしてアンテナ間での送受信が乱されやすい。そこで、アンテナ２５やアンテナ２６が設けられている基体との間に透磁率が１００００以上の高透磁率材料を敷くのが望ましい。高透磁率材料としては、例えば鉄とニッケルの合金からなるパーマロイがよい。高透磁率材料単独でなく、誘電体材料との層構造でも構わない。また、アンテナと高透磁率材料または基体との間で電気が流れないように絶縁体材料でアンテナを被覆することが望ましい。
【００５０】
情報記録媒体２２上のＲＦＩＤ３は、アンテナ２５がある情報記録媒体保持部材受け部２３ａに近い方に設けるのがＲＦＩＤ３とアンテナ２５との間での送受信に電波強度の点から有利である。
【００５１】
また、ＲＦＩＤ３内のアンテナ７は、情報記録媒体２２のアンテナ２５に対向する側の表面に向けて設けることがＲＦＩＤ３とアンテナ２５との間での送受信の電波強度の点からを有利である。
【００５２】
電波強度の観点からＲＦＩＤ３内のアンテナ７とアンテナ２５との距離は５ｍｍ以下の場合に送受信が可能であった。本実施の形態では、増幅回路２８を設けているため、アンテナ２６から送信される電波強度を上げることができるので、増幅回路２８を設けない場合に対してアンテナ６とアンテナ２６との距離は広げても送受信が可能である。しかし、電波強度を上げると消費電力も上がるので、アンテナ２６からの電波はアンテナ６で受信できる範囲に抑えることが望ましい。図７の構成ではアンテナ６とアンテナ２６との距離は２０ｍｍ以下で十分である。
【００５３】
図７において、ピックアップ２７は、情報記録媒体２２上に記録された情報を読み出したり書き込んだり書き換えたりするのに用いる。
【００５４】
本実施の形態３では、ピックアップ２７とＲＦＩＤ３と書き込み読み出し本体１４との間を通信するアンテナ２５、２６、６が情報記録媒体２２に対して同じ方向にあるため、情報記録媒体２２を収納する高さを低くすることが可能になる。
【００５５】
（実施の形態４）
本発明の実施の形態４のＲＦＩＤタグ内蔵情報記録媒体の駆動方法に用いるＲＦＩＤタグ内蔵情報記録媒体は実施の形態２と同様でディスク形状をしている。
【００５６】
また、本発明の実施の形態４は、図９に示すように、アンテナ２６が回転スピンドル２４の内部に収まっており回転スピンドルの下部に凸部がない点と、磁気シールドの位置が回転スピンドルと繋がった情報記録媒体保持部材受け部に密接している点が実施の形態３とは異なり、他の部分は共通する。
【００５７】
なお、図９では書き込み読み出し本体１４の部分はアンテナ６のみを示し、他の回路等は図示していない。
【００５８】
図９でもアンテナ２５は情報記録媒体保持部材受け部２３ａに設けられ、情報記録媒体２２が情報記録媒体保持部材２３ａと２３ｂに密接して回転スピンドル２４に固定されており、一緒に回転するようになっている。情報記録媒体保持部材の受け部２３ａにはアンテナ２５が情報記録媒体２２の回転軸を中心とする円周状に埋設されていて、情報記録媒体２２が情報記録媒体保持部材の受け部２３ａにどの向きに置かれても常にＲＦＩＤ３と近傍の位置が保たれるようになっている。アンテナ２５は、ＲＦＩＤ３内のアンテナ７より広い投影面積になっている。この結果、ＲＦＩＤ３内のアンテナ７からの電波が弱くともアンテナ２５で受信することが十分に可能である。
【００５９】
そして、このアンテナ２５で受けた信号を増幅回路２８で増幅してアンテナ２６に伝え、アンテナ２６で送信しアンテナ６で受ける。増幅回路２８への電力供給は実施の形態３の場合と同様である。
【００６０】
このアンテナ２６もアンテナ２５と同様に情報記録媒体２２の回転軸を中心とする円周状に埋設され、固定されたアンテナ６に対してアンテナ２６が回転しても常に両者の位置が同距離で保たれる。この結果、アンテナ２６からの電波もアンテナ６で受信することが可能である。このように回転している情報記録媒体２２内のＲＦＩＤ３からも書き込み読み出し本体１４の固定されたアンテナ６にデータを送ることができる。反対に、書き込み読み出し本体１４から情報記録媒体２２のＲＦＩＤ３へは、アンテナ６からアンテナ２６、アンテナ２５を介してＲＦＩＤ３へとデータが送られる。
【００６１】
図９に示すように、アンテナ２６は、実施の形態３とは異なり回転スピンドル２４の内部に収まっていて回転スピンドルの下部には凸部がない。また、情報記録媒体２２上に記録された情報を読み出したり書き込んだり書き換えたりするのに用いるピックアップ２７もＲＦＩＤ３と書き込み読み出し本体１４との間を通信するアンテナ２５、２６、６も情報記録媒体２２に対して同じ方向にある。さらに、磁気シールド２９を情報記録媒体保持部材受け部２３ａに密接して設けている。この結果、本発明の実施の形態４のＲＦＩＤ内蔵情報記録媒体の駆動方法では実施の形態３より一層、情報記録媒体２２を収納する高さを低くすることが可能になる。
【００６２】
磁気シールド２９を設けているため、ＲＦＩＤ３内のアンテナ７とアンテナ２５との間の通信と、アンテナ２６とアンテナ６との間の通信との混線を防止することができる。
【００６３】
磁気シールド２９がない場合でも、互いの通信をエラー訂正機能のあるデジタル信号で行うことで実施は可能である。
【００６４】
もちろん、ＲＦＩＤ３内のアンテナ７とアンテナ２５との間の通信と、アンテナ２６とアンテナ６との間の通信とで電波の周波数を変えても構わない。
【００６５】
情報記録媒体保持部材受け部２３ａや回転スピンドル２４は剛性の観点から金属を用いる場合があるが、この場合は電波が反射さえたり吸収されたりして、アンテナ間での送受信が乱されやすい。そこで、アンテナ２５やアンテナ２６が設けられている基体との間に、透磁率が１００００以上の高透磁率材料を敷くのが望ましい。高透磁率材料としては、例えば、鉄とニッケルの合金からなるパーマロイがよい。高透磁率材料単独でなく、誘電体材料との層構造でも構わない。また、アンテナと高透磁率材料または基体との間で電気が流れないように、絶縁体材料でアンテナを被覆することが望ましい。
【００６６】
情報記録媒体２２上のＲＦＩＤ３はアンテナ２５がある情報記録媒体保持部材受け部２３ａに近い方に設けるのがＲＦＩＤ３とアンテナ２５との間での送受信に電波強度の点から有利である。
【００６７】
また、ＲＦＩＤ３内のアンテナ７は、情報記録媒体２２のアンテナ２５と対向する表面に向けて設けることがＲＦＩＤ３とアンテナ２５との間での送受信に電波強度の点から有利である。
【００６８】
ＲＦＩＤ３内のアンテナ７とアンテナ２５との距離は、５ｍｍ以下の場合に送受信が可能であった。増幅回路２８を設けたことにより、アンテナ６とアンテナ２６との距離を２０ｍｍに広げても送受信が可能であった。
【００６９】
（実施の形態５）
本発明の実施の形態５のＲＦＩＤタグ内蔵情報記録媒体の駆動方法に用いるＲＦＩＤタグ内蔵情報記録媒体は実施の形態２と同様でディスクの形をしている。しかし、実施の形態２から実施の形態４までの情報記録媒体２２ではＲＦＩＤ３は情報記録媒体保持部材受け部２３ａに収まる内径の部分に設けられていた。これに対して、本実施の形態では、図１０に示すように、ＲＦＩＤ３は情報記録媒体２２が情報記録媒体保持部材受け部２３ａと密接するクランプ領域にはなく、クランプ領域とデータ領域との間の領域に設ける。
【００７０】
より具体的なＲＦＩＤタグ内蔵情報記録媒体の断面形状を図１１に示す。図１１において、情報記録媒体２２は、厚さ１．１ｍｍの基板に情報記録層を積層し、厚さ０．１ｍｍのカバー層を設けたブルーレイディスクの構造をしている。ここで、基板３３は射出成形された厚さ１．１ｍｍの基板であり、基板３３上にスパッタ法等で成膜層（情報記録層）３４を設けさらに紫外線硬化樹脂で厚さ０．１ｍｍのカバー層３５を設けている。基板３３の内孔近傍には環状凸部であるリブ３６が設けられ、ディスクを重ねた場合に信号面が擦れないようにできている。
【００７１】
ここで、基板３３上に紫外線硬化樹脂をスピンコート法などにより塗布し、樹脂を硬化させる前に厚さ０．１ｍｍのカバー層３５より内側で、かつ、クランプ領域より外側にＲＦＩＤ３を置いてから硬化させる。ＲＦＩＤ３は、直径３３ｍｍから４２ｍｍ未満の範囲に配置するのが好ましい。この際に用いるＲＦＩＤ３の厚さは０．１ｍｍより薄いものを使用し、表面を紫外線硬化樹脂で覆い、ＲＦＩＤ３が容易に情報記録媒体２２から外れないようにする。この結果、ＲＦＩＤタグ内蔵情報記録媒体は、ＲＦＩＤのない通常のブルーレイディスクの規格を満たすようにできるため、ブルーレイディスク用の駆動装置に挿入しても駆動装置と情報記録媒体を物理的に破壊する恐れはなくなる。
【００７２】
また、ＲＦＩＤ３のアンテナ７はカバー層３５の表面側に向けることが好ましい。これによりＲＦＩＤ３内のアンテナ７とアンテナ２５との距離が近づくので通信がより容易になる効果がある。また、アンテナ２５はＲＦＩＤ３内のアンテナ７より広い投影面積になっている。
【００７３】
本実施の形態では、ＲＦＩＤ３内のアンテナ７とアンテナ２５との距離は５ｍｍ以下の場合に送受信が可能であった。
【００７４】
カバー層３５を形成するのは情報記録媒体２２の最終作製工程であるので、事前に良品と選別されたＲＦＩＤ３を最後に埋め込むことで歩留まりが向上する。また、ＲＦＩＤ３を情報記録媒体２２上に設けるのに情報記録媒体２２に特別に何もする必要がないため、ＲＦＩＤ３を情報記録媒体２２に埋め込む工程以外は従来の生産工程を用いることができるので生産効率がよい。
【００７５】
本発明の実施の形態５のＲＦＩＤタグ内蔵情報記録媒体の駆動方法は、図１０に示すように実施の形態４の図９と比べるとアンテナ６がアンテナ２６から遠くにある。これはＲＦＩＤ３のアンテナ７から送信される電波が弱くともアンテナ７の近傍にアンテナ２５があるため十分受信が可能であり、アンテナ７からの弱い電波に対応してアンテナ２５から得られる電気信号が弱くとも増幅回路２８で増幅されるため、アンテナ２６から送信される電波は図１０に示すようにアンテナ６が離れていても十分受信が可能なためである。反対にアンテナ６から送信される電波もアンテナ２６で受信可能であり、アンテナ２５を介してＲＦＩＤ３内のアンテナ７で受信可能となる。したがって、情報記録媒体２２上のＲＦＩＤ３と書き込み読み出し本体１４との間でデータの書き込み読み出しが可能である。
【００７６】
アンテナ６とアンテナ２６との間に情報記録媒体２２を挟む形態にすると情報記録媒体２２上の金属反射膜で電波の送受信が乱されやすくなるので、アンテナ６とアンテナ２６との間に情報記録媒体２２を挟まない方が望ましい。
【００７７】
本発明の実施の形態５のＲＦＩＤタグ内蔵情報記録媒体の駆動方法では、実施の形態４と同様に回転スピンドル２４の近傍に突き出した部材がなく、情報記録媒体２２上に記録された情報を読み出したり書き込んだり書き換えたりするのに用いるピックアップ２７もＲＦＩＤ３と書き込み読み出し本体１４との間を通信するアンテナ２５、２６、６も情報記録媒体２２に対して同じ方向にある。磁気シールド２９も情報記録媒体保持部材受け部２３ａに密接して設けている。さらに、書き込み読み出し本体１４のアンテナ６をアンテナ２６から離して設置している。そのため、本発明の実施の形態５のＲＦＩＤタグ内蔵情報記録媒体の駆動装置に用いるＲＦＩＤ内蔵情報記録媒体の駆動方法ではより一層、情報記録媒体２２を収納する高さを低くすることが可能になる。また、書き込み読み出し本体１４を回路設計の観点から情報記録媒体２２に対してピックアップ２７と同じ側の適切な位置に配置することが可能になる。
【００７８】
磁気シールド２９を設けているため、ＲＦＩＤ３内のアンテナ７とアンテナ２５との間の通信と、アンテナ２６とアンテナ６との間の通信との混線を防止することができる。
【００７９】
もちろん、ＲＦＩＤ３内のアンテナ７とアンテナ２５との間の通信と、アンテナ２６とアンテナ６との間の通信とで、電波の周波数を変えて、磁気シールド２９をなくしても構わない。
【００８０】
情報記録媒体保持部材受け部２３ａや回転スピンドル２４は剛性の観点から金属を用いる場合があるが、この場合は電波が反射さえたり吸収されたりしてアンテナ間での送受信が乱されやすい。そこで、アンテナ２５やアンテナ２６が設けられている基体との間に透磁率が１００００以上の高透磁率材料を敷くのが望ましい。高透磁率材料としては例えば鉄とニッケルの合金からなるパーマロイがよい。高透磁率材料単独でなく誘電体材料との層構造でも構わない。また、アンテナと高透磁率材料または基体との間で電気が流れないように絶縁体材料でアンテナを被覆することが望ましい。
【００８１】
（実施の形態６）
本発明の実施の形態６のＲＦＩＤタグ内蔵情報記録媒体の駆動方法に用いるＲＦＩＤタグ内蔵情報記録媒体は実施の形態２と同様でディスク形状をしている。
【００８２】
この情報記録媒体２２は、情報記録媒体保持部材押え部２３ｂで押えられている領域（クランプ領域）で情報記録媒体保持部材押え部２３ｂに近い側にアンテナをＩＣチップ内に内蔵したＲＦＩＤ３を設けている。この場合も基板に同心円状の溝を設け、溝深さより薄いＲＦＩＤ３を紫外線硬化樹脂で表面を覆うように埋め込む。
【００８３】
図１２では、書き込み読み出し本体１４の部分はアンテナ６のみを示し、他の回路等は図示していない。
【００８４】
図１２において、情報記録媒体２２上のＲＦＩＤ３内のアンテナ７と通信するアンテナ２５は、情報記録媒体保持部材押え部２３ｂの情報記録媒体２２と対向する面に近い部分に埋め込まれている。情報記録媒体保持部材押え部２３ｂには、アンテナ２５以外にアンテナ２５から繋がった増幅回路２８とアンテナ２６が設けられている。
【００８５】
このアンテナ２５は、情報記録媒体２２を回転させるモータ（図示せず）に連結された回転スピンドル２４の回転軸を中心とする同心円状に設ける。これにより、情報記録媒体保持部材押え部２３ｂが情報記録媒体２２にどの向きに置かれても常にＲＦＩＤ３とアンテナ２５とが近傍の位置を保つようになっている。アンテナ２５はＲＦＩＤ３内のアンテナ７より広い投影面積になっている。この結果、ＲＦＩＤ３内のアンテナ７からの電波が弱くとも十分にアンテナ２５で受信することが可能である。
【００８６】
そして、このアンテナ２５で受けた信号を増幅回路２８で増幅してアンテナ２６に伝え、アンテナ２６で送信しアンテナ６で受信する。増幅回路２８への電力供給は、実施の形態３の場合と同様に図８で示すようにアンテナ６からの電波をアンテナ２６で受け電源回路３０で電力として充電することで得る。そこで、ＲＦＩＤ３のアンテナ７からの電波が弱くとも増幅回路２８で信号を大きくすることでアンテナ２６からアンテナ６に送信する電波の強度を大きく保つことで信号の受け渡しでの誤りの恐れがなくなる。また、アンテナ２６とアンテナ６との間の距離を広げることができる。
【００８７】
このアンテナ２６もアンテナ２５と同様に情報記録媒体２２の回転軸を中心とする円周状に埋設され、固定されたアンテナ６に対してアンテナ２６が回転しても常に両者の位置が同距離で保たれる。この結果、アンテナ２６からの電波もアンテナ６で安定して受信することが可能である。このように回転している情報記録媒体２２内のＲＦＩＤ３からも書き込み読み出し本体１４の固定されたアンテナ６にデータを送ることができる。反対に、書き込み読み出し本体１４から情報記録媒体２２のＲＦＩＤ３へは、アンテナ６からアンテナ２６、アンテナ２５を介してＲＦＩＤ３へとデータが送られる。
【００８８】
アンテナ２６とアンテナ６との間に情報記録媒体２２を挟む形態にすると情報記録媒体２２上の金属反射膜で電波の送受信が乱されるので、アンテナ２６とアンテナ６との間に情報記録媒体２２を挟まない方がよい。
【００８９】
情報記録媒体２２自体に磁力で保持するハブ等が設けられていない情報記録媒体２２を回転させるためには情報記録媒体保持部材受け部２３ａと情報記録媒体保持部材押え部２３ｂとで情報記録媒体２２を挟んで保持する必要があり、本実施の形態６では、情報記録媒体２２上にＲＦＩＤ３を設けただけであるため、新たな部材は必要ない。また、増幅回路２８などの回路部分はＩＣチップにすることが可能で特別大きな体積を必要としない。そこで、情報記録媒体２２を収める周辺の体積はＲＦＩＤ３を情報記録媒体２２に設けるか否かで変わらないようにできる。
【００９０】
図１２ではアンテナ２５とアンテナ２６との間で磁気シールドを設けていないが、電波の使用周波数が同じ場合は磁気シールドする方が、ＲＦＩＤ３内のアンテナ７とアンテナ２５との間の通信とアンテナ２６とアンテナ６との間の通信との混線を防止するために望ましい。しかし、磁気シールドがない場合でも、互いの通信をエラー訂正機能のあるデジタル信号で行うことで実施は可能である。
【００９１】
もちろん、ＲＦＩＤ３内のアンテナ７とアンテナ２５との間の通信と、アンテナ２６とアンテナ６との間の通信とで、電波の周波数を変えて磁気シールドをしなくても構わない。
【００９２】
情報記録媒体保持部材押え部２３ｂが金属の場合は、電波が反射さえたり吸収されたりしてアンテナ間での送受信が乱されやすい。そこで、アンテナ２５やアンテナ２６が設けられている基体との間に、透磁率が１００００以上の高透磁率材料を敷くのが望ましい。高透磁率材料としては、例えば、鉄とニッケルの合金からなるパーマロイがよい。高透磁率材料単独でなく誘電体材料との層構造でも構わない。また、アンテナと高透磁率材料または基体との間で電気が流れないように、絶縁体材料でアンテナを被覆することが望ましい。
【００９３】
ＲＦＩＤ３内のアンテナ７は、情報記録媒体２２のアンテナ２５に対向する側の表面に向けて設けることが、ＲＦＩＤ３とアンテナ２５との間での送受信に電波強度の点から有利である。
【００９４】
本発明の実施の形態３から５のＲＦＩＤタグ内蔵情報記録媒体の駆動方法では、磁気シールドとアンテナ周辺に用いた高透磁率材料を分けて記したが、磁気シールドには金属メッシュ状のもの以外に高透磁率材料も用いることができるので、磁気シールドをアンテナ周辺の高透磁率材料で兼用させても構わない。
【００９５】
本発明の実施の形態のＲＦＩＤタグ内蔵情報記録媒体の駆動装置に用いるＲＦＩＤタグ内蔵情報記録媒体では、ＲＦＩＤタグは１個の場合を示したが、もちろん、複数個であっても構わない。
【００９６】
本発明の実施の形態で用いた、アンテナをＩＣチップに内蔵したＲＦＩＤは非常に小さいので１個配置する程度では情報記録媒体の偏重芯を考慮する必要はない。しかし、複数個の場合は分散させて配置することが望ましい。
【産業上の利用可能性】
【００９７】
本発明にかかるＲＦＩＤタグ内蔵情報記録媒体の駆動方法は、非接触でデータを受け渡しするＲＦＩＤタグとＲＦＩＤタグを内蔵する情報記録媒体とＲＦＩＤタグを内蔵した情報記録媒体を駆動する装置に応用できる。
【図面の簡単な説明】
【００９８】
【図１】本発明の実施の形態１のＲＦＩＤタグ内蔵情報記録媒体の駆動装置に用いるＲＦＩＤタグ内蔵情報記録媒体の側面図
【図２】本発明の実施の形態１のＲＦＩＤタグ内蔵情報記録媒体の駆動装置に用いる情報記録媒体の情報を読み書きする本体の外観図
【図３】本発明の実施の形態１のＲＦＩＤタグ内蔵情報記録媒体の駆動装置に用いる情報記録媒体の情報を読み書きする本体と情報記録媒体の断面図
【図４】本発明の実施の形態１のＲＦＩＤタグ内蔵情報記録媒体の駆動装置でのＲＦＩＤの情報を読み書きする回路ブロック図
【図５】本発明の実施の形態２のＲＦＩＤタグ内蔵情報記録媒体の駆動装置の一部とＲＦＩＤタグ内蔵情報記録媒体の断面図
【図６】（ａ）本発明の実施の形態２のＲＦＩＤタグ内蔵情報記録媒体の駆動装置に用いる単板構造のＲＦＩＤタグ内蔵情報記録媒体の断面図（ｂ）本発明の実施の形態２のＲＦＩＤタグ内蔵情報記録媒体の駆動装置に用いる貼り合せ構造のＲＦＩＤタグ内蔵情報記録媒体の断面図
【図７】本発明の実施の形態３のＲＦＩＤタグ内蔵情報記録媒体の駆動装置の一部とＲＦＩＤタグ内蔵情報記録媒体の断面図
【図８】本発明の実施の形態３のＲＦＩＤタグ内蔵情報記録媒体の駆動装置でのＲＦＩＤでの情報を読み書きする回路ブロック図
【図９】本発明の実施の形態４のＲＦＩＤタグ内蔵情報記録媒体の駆動装置の一部とＲＦＩＤタグ内蔵情報記録媒体の断面図
【図１０】本発明の実施の形態５のＲＦＩＤタグ内蔵情報記録媒体の駆動装置の一部とＲＦＩＤタグ内蔵情報記録媒体の断面図
【図１１】本発明の実施の形態５のＲＦＩＤタグ内蔵情報記録媒体の駆動装置に用いるＲＦＩＤタグ内蔵情報記録媒体の断面図
【図１２】本発明の実施の形態６のＲＦＩＤタグ内蔵情報記録媒体の駆動装置の一部とＲＦＩＤタグ内蔵情報記録媒体の断面図
【符号の説明】
【００９９】
１，２２    情報記録媒体
２    磁気フィルム
３    ＲＦＩＤ
４    駆動装置
４ａ    隙間
５    磁気ヘッド
６，７，２５，２６    アンテナ
８，１５，３０    電源回路
９，１６，３１，３２    無線周波数回路
１０，１７    変調回路
１１，１８    復調回路
１２，１９    ＣＰＵ
１３，２０    メモリ
１４    書き込み読み出し本体
２１    入力装置
２３    情報記録媒体保持部材
２３ａ    情報記録媒体保持部材受け部
２３ｂ    情報記録媒体保持部材押え部
２４    回転スピンドル
２７    ピックアップ
２８    増幅回路
２９，２９ａ，２９ｂ    磁気シールド
３３    基板
３４    成膜層
３５    カバー層
３６    リブ
【図１】
2007280519.tif 000003
【図２】
2007280519.tif 000004
【図３】
2007280519.tif 000005
【図４】
2007280519.tif 000006
【図５】
2007280519.tif 000007
【図６】
2007280519.tif 000008
【図７】
2007280519.tif 000009
【図８】
2007280519.tif 000010
【図９】
2007280519.tif 000011
【図１０】
2007280519.tif 000012
【図１１】
2007280519.tif 000013
【図１２】
2007280519.tif 000014